(57)【要約】      （修正有）【課題】  ミルク液が直かに接触・付着するミルク液収納用ライナーと乳首とを一括して使い捨て可能な哺乳器の提供。【解決手段】  硬質な合成樹脂から一定長さ（ｙ１）の円筒型をなすライナー用ホルダー（Ｈ）の内部へ、これよりも長く薄肉な軟質合成樹脂製のチューブ形態として且つその上端部に乳首（１）の根元部が連結一体化されたミルク液収納用ライナー（Ｌ）を、遊動しない位置決め係止状態に差し込みセットすると共に、そのライナー（Ｌ）が上記ホルダー（Ｈ）の下端部から一定長さ（ｙ２）だけ張り出し垂下することとなる折り曲げ用スカート（８）を折り曲げて、上記ホルダー（Ｈ）とこれへの嵌脱自在に套嵌される硬質な合成樹脂製ボトムキャップ（Ｂ）との相互間へ、上記ライナー（Ｌ）を密封状態に挟み付け固定するように定めた。【選択図】  図９
2006239217.tif 000002
【特許請求の範囲】
【請求項１】
一定長さ（ｙ１）の円筒型をなす硬質な合成樹脂製のライナー用ホルダー（Ｈ）と、
上記ホルダー（Ｈ）よりも長く薄肉な軟質合成樹脂製のチューブ形態として、そのホルダー（Ｈ）の内部へ抜き差し自在に差し込み貫通されるミルク液収納用ライナー（Ｌ）と、
上記ホルダー（Ｈ）への位置決め係止可能な根元部において、上記ライナー（Ｌ）の上端部へ連結一体化された乳首（１）と、
上記ホルダー（Ｈ）の上端部へ嵌脱自在に套嵌される硬質な合成樹脂製の乳首保護用トップフード（Ｆ）と、
同じくホルダー（Ｈ）の下端部へ嵌脱自在に套嵌される硬質な合成樹脂製の開閉用ボトムキャップ（Ｂ）とを備え、
上記ライナー（Ｌ）をホルダー（Ｈ）の内部へ、その付属する乳首（１）の根元部が位置決め係止される状態に差し込みセットして、
そのライナー（Ｌ）が上記ホルダー（Ｈ）の下端部から一定長さ（ｙ２）だけ張り出し垂下することになる折り曲げ用スカート（８）を折り曲げた上、そのホルダー（Ｈ）とこれに套嵌される上記ボトムキャップ（Ｂ）との相互間へ、上記ライナー（Ｌ）を密封状態に挟み付け固定することを特徴とする使い捨て式哺乳器。
【請求項２】
ミルク液収納用ライナー（Ｌ）がホルダー（Ｈ）の下端部から一定長さ（ｙ２）だけ張り出し垂下する折り曲げ用スカート（８）を、その下方から切り欠いた上記ホルダー（Ｈ）の下端部までは到達しない一定深さ（ｇ）と適当な開口幅（ｗ）のスリット（１２）によって、入隅側の短かいスカート片（８ａ）と出隅側の長いスカート片（８ｂ）に分割形成したことを特徴とする請求項１記載の使い捨て式哺乳器。
【請求項３】
乳首（１）の根元部から位置決め用の径大なビード又はフランジ（９）を一体的に張り出して、
そのビード又はフランジ（９）をホルダー（Ｈ）の上端部へ載置状態に係止させるか、又はホルダー（Ｈ）における内周面の上端部に対応形成した乳首受け止め用凹溝（２）へ嵌め込み係止させるように定めたことを特徴とする請求項１記載の使い捨て式哺乳器。
【請求項４】
乳首（１）の根元部から一体的に張り出す位置決め用の径大なビード又はフランジ（９）を、ホルダー（Ｈ）の上端部へ載置状態に係止させると共に、
硬質な合成樹脂から段付きの円筒型に造形された乳首押えカラー（Ｃ）における約下半部の径大なネジ口筒（２１）を、上記ホルダー（Ｈ）の外周面へ着脱自在に螺合締結することにより、上記乳首（１）のビード又はフランジ（９）を上方から押え付け固定する一方、
同じく乳首押えカラー（Ｃ）における約上半部の径小なトップフード受け入れ口筒（２０）へ、上方から乳首保護用トップフード（Ｆ）を嵌脱自在に套嵌させるように定めたことを特徴とする請求項１記載の使い捨て式哺乳器。
【発明の詳細な説明】
【技術分野】
【０００１】
本発明はミルク液収納用ライナーのみならず、乳首も使い捨て可能な哺乳器に関する。
【背景技術】
【０００２】
ミルク液収納用ライナーを所謂カートリッジとして、その使用済みのたび毎に新品と交換装着する哺乳器が、特開平８−１８７２７３号公報や特開平１０−１５５８７８号公報、特開平１１−１４６９０３号公報などに掲載されている。
【０００３】
そして、これらのライナー使い捨て式哺乳器では、ミルク液がライナーのホルダー自体に接触しないため、そのホルダーを洗浄したり、殺菌したりする必要なく繰り返し使用でき、特に車両や旅行での携行上著しく便利である。
【特許文献１】特開平８−１８７２７３号公報
【特許文献２】特開平１０−１５５８７８号公報
【特許文献３】特開平１１−１４６９０３号公報
【発明の開示】
【発明が解決しようとする課題】
【０００４】
ところが、上記特開平１１−１４６９０３号発明を代表例に挙げて言えば、これでは使い捨て可能なライナー（１８）と乳首（ニップル部）（２０）とが別個独立しており、その乳首（２０）を再使用するようになっているが、ミルク液は乳首（２０）に必らず接触・付着するため、これを洗浄又は／及び殺菌しなければ、繰り返し使用することができない。その結果、上記した利便性が阻害されてしまうことになる。
【０００５】
又、ライナー（１８）の使い捨てにより残った乳首（２０）を繰り返し使用する場合、これが新品であるか、或いは再使用品であるかという衛生状態の程度を、乳児の母親が爾後的に肉眼で識別することも困難となり、その意味でも未だ不便である。
【０００６】
更に、別個なライナー（１８）と乳首（２０）とをホルダー（１２）の開口縁部へ、リング状の押えカラー（２２）によって螺合締結しているが、その締結状態が不完全な場合に、ミルク液が洩れ出すおそれは勿論のこと、誤って乳首（２０）の根元部を掴むと、その乳首（２０）がカラー（２２）から抜け出したり、或いは乳児が乳首（２０）を喰わえたままで引張ったりすると、やはり乳首（２０）がカラー（２２）から抜け出して、乳児に呑み込まれてしまい、喉に詰まり窒息死する危険性もあり得る。
【課題を解決するための手段】
【０００７】
本発明はこのような課題の改良を目的としており、その目的を達成するための構成として、請求項１では一定長さの円筒型をなす硬質な合成樹脂製のライナー用ホルダーと、
【０００８】
上記ホルダーよりも長く薄肉な軟質合成樹脂製のチューブ形態として、そのホルダーの内部へ抜き差し自在に差し込み貫通されるミルク液収納用ライナーと、
【０００９】
上記ホルダーへの位置決め係止可能な根元部において、上記ライナーの上端部へ連結一体化された乳首と、
【００１０】
上記ホルダーの上端部へ嵌脱自在に套嵌される硬質な合成樹脂製の乳首保護用トップフードと、
【００１１】
同じくホルダーの下端部へ嵌脱自在に套嵌される硬質な合成樹脂製の開閉用ボトムキャップとを備え、
【００１２】
上記ライナーをホルダーの内部へ、その付属する乳首の根元部が位置決め係止される状態に差し込みセットして、
【００１３】
そのライナーが上記ホルダーの下端部から一定長さだけ張り出し垂下することになる折り曲げ用スカートを折り曲げた上、そのホルダーとこれに套嵌される上記ボトムキャップとの相互間へ、上記ライナーを密封状態に挟み付け固定することを特徴とする。
【００１４】
又、請求項２では請求項１に従属する構成として、ミルク液収納用ライナーがホルダーの下端部から一定長さだけ張り出し垂下する折り曲げ用スカートを、その下方から切り欠いた上記ホルダーの下端部までは到達しない一定深さと適当な開口幅のスリットによって、入隅側の短かいスカート片と出隅側の長いスカート片に分割形成したことを特徴とする。
【００１５】
請求項３では、同じく請求項１に従属する構成として、乳首の根元部から位置決め用の径大なビード又はフランジを一体的に張り出して、
【００１６】
そのビード又はフランジをホルダーの上端部へ載置状態に係止させるか、又はホルダーにおける内周面の上端部に対応形成した乳首受け止め用凹溝へ嵌め込み係止させるように定めたことを特徴とする。
【００１７】
更に、請求項４ではやはり請求項１に従属する構成として、乳首の根元部から一体的に張り出す位置決め用の径大なビード又はフランジを、ホルダーの上端部へ載置状態に係止させると共に、
【００１８】
硬質な合成樹脂から段付きの円筒型に造形された乳首押えカラーにおける約下半部の径大なネジ口筒を、上記ホルダーの外周面へ着脱自在に螺合締結することにより、上記乳首のビード又はフランジを上方から押え付け固定する一方、
【００１９】
同じく乳首押えカラーにおける約上半部の径小なトップフード受け入れ口筒へ、上方から乳首保護用トップフードを嵌脱自在に套嵌させるように定めたことを特徴とする。
【発明の効果】
【００２０】
請求項１の上記構成によれば、ミルク液の直かに接触・付着する乳首とライナーが、予じめ連続一体化された所謂カートリッジをなすため、その乳首付きのライナーをホルダーから一括して抜き出し廃棄し得ることとなり、使い捨て式哺乳器として従来技術の課題を抜本的に改良することができ、車両や旅行での携帯上著しく便利である。
【００２１】
又、その哺乳器の使用時には乳首の根元部がホルダーへ、安定良く位置決め係止された差し込みセット状態にある一方、その乳首と連続一体的なライナーの下端部は折り曲げ用スカートとして、上記ホルダーの下端部を横断する如く折り曲げられた上、そのホルダーに対するボトムキャップの套嵌により、その相互間へ密封状態に挟み付け固定されているため、哺乳器自身を正立状態に載置したり、或いは横倒し状態に転がしたりしても、ミルク液の不慮に洩れ出すおそれがなく、従前と同様に支障なく使用することができる。
【００２２】
特に、請求項２の構成を採用するならば、ライナーのスカートを折り曲げた重合部分の厚みがいたづらに増大すると共に、皺寄り過多となることに起因して、ホルダーに対するボトムキャップの密着度が低下したり、ミルク液の洩れ出したりするおそれを、その分割形成されたスカート片の長短差によって防止できる効果があり、外観形態も好体裁に保たれることとなる。
【００２３】
請求項３の構成を採用するならば、乳首の根元部を径大なビード又はフランジとして、ライナーと安定・強固に連結一体化できるほか、これをホルダーに対する位置決め用として、上方からホルダーの内部へ円滑に差し込みセットさせ得る効果もあり、作業性が向上する。
【００２４】
更に、請求項４の構成を採用するならば、ライナーに付属する乳首をホルダーへ、不慮に浮上したり、まして抜け出したりしない状態に押え付け固定することができ、安心裡に授乳使用し得る効果がある。
【発明を実施するための最良の形態】
【００２５】
以下、図面に基いて本発明の具体的構成を詳述すると、図１〜９はその使い捨て式哺乳器の第１実施形態を示しており、これはライナー用ホルダー（Ｈ）とその開閉用ボトムキャップ（Ｂ）、乳首（１）との連続一体的なミルク液収納用ライナー（Ｌ）並びにその乳首保護用トップフード（Ｆ）との合計４部品から組み立てられている。
【００２６】
上記構成部品のうち、先ずライナー用ホルダー（Ｈ）はポリプロピレンやポリエチレンテレフタレート、その他の透明又は半透明の硬質な合成樹脂から、図２、３のような一定の直径（ｄ）（例えば約６０mm）と長さ（ｙ１）（例えば約１４０mm）を備えた円筒型に成形されている。
【００２７】
（２）は上記ホルダー（Ｈ）における内周面の上端部に設けられた乳首受け止め用凹溝であり、ミルク液収納用ライナー（Ｌ）から連続的に張り出す乳首（１）の根元部を受け止め保持する。（３）はやはりホルダー（Ｈ）における内周面の上端部付近に陥没するトップフード嵌合用凹溝、（４）は同じく外周面の下端部付近に陥没するボトムキャップ嵌合用凹溝を示している。
【００２８】
尚、このようなホルダー（Ｈ）の外周面にはミルク液収納量の表示目盛り（５）や、把持時の滑り止め用凹凸（図示省略）を付与しておくことが好ましい。
【００２９】
又、上記ホルダー（Ｈ）の開閉用ボトムキャップ（Ｂ）はそのホルダー（Ｈ）と同種の硬質な着色合成樹脂から、図３や図８、９ような断面ほぼＵ字型に成形されており、その内周面の上端部付近から対応的に張り出す嵌合用凸条（６）を、上記ホルダー（Ｈ）側のボトムキャップ嵌合用凹溝（４）へ嵌脱自在に差し込み套嵌させることによって、そのホルダー（Ｈ）の開口下面を施蓋できるようになっている。
【００３０】
但し、その嵌合する雌雄関係を逆として、ボトムキャップ（Ｂ）の内周面に凹溝（４）を、上記ホルダー（Ｈ）の外周面に凸条（６）を各々対応形成してもさしつかえない。このようなボトムキャップ（Ｂ）の外周面にも、把持時の滑り止め用凹凸（図示省略）を付与しておくことが望ましい。
【００３１】
次に、ミルク液収納用ライナー（Ｌ）は破れ難いポリエチレンやその他の透明又は半透明な軟質合成樹脂から、図２〜５のように上記ホルダー（Ｈ）よりも径小で、且つホルダー（Ｈ）よりも長く薄肉なチューブ状に造形されているが、そのライナー本体（７）の上端部は上向き連続的に隆起する乳首（１）として閉塞されている一方、同じくライナー本体（７）の下端部は折り曲げ用スカート（８）として開放状態にある。
【００３２】
このようなライナー（Ｌ）は上記軟質のポリエチレンやその他の合成樹脂から押出成形したり、或いはその合成樹脂フィルムやシートの複数枚から継ぎ合わせシールしたりして、可撓なチューブ形態に作成することができる。
【００３３】
他方、乳首（１）は乳児の自から喰わえる部位として、シリコンゴムや熱可塑性樹脂エラストマーなどの軟質な不活性・非毒性材料から成形されており、その根元部が上記ライナー本体（７）の上端部と接着やヒートシール（溶着）などの固着手段を介して連結一体化されている。
【００３４】
（９）はその連結一体化された根元部から張り出す位置決め用の径大なビード又はフランジであり、上記ホルダー（Ｈ）側の乳首受け止め用凹溝（２）と対応合致する。（１０）は乳首（１）の先端中央部に開口形成された乳児のミルク液吸い出し孔、（１１）は上記ライナー（Ｌ）におけるライナー本体（７）の外周面に付与されたミルク液収納量の表示目盛りであり、ホルダー（Ｈ）を通じて透視することができる。
【００３５】
そして、このような乳首（１）を付属的に冠しているライナー（Ｌ）は上記円筒型ホルダー（Ｈ）の内部へ、その上下何れの方向からでも抜き差し自在に差し込み貫通させることができ、その上記ビード又はフランジ（９）をホルダー（Ｈ）側の乳首受け止め用凹溝（２）へ嵌め込み係止させたセット状態では、図６や図９に示す如く、上記ライナー本体（７）の上端部を閉塞している乳首（１）が、ホルダー（Ｈ）の上端部から自づと膨出する一方、同じくライナー本体（７）の下端部を開放している折り曲げ用スカート（８）が、そのホルダー（Ｈ）の下端部から一定長さ（ｙ２）だけ張り出し垂下するようになっている。
【００３６】
茲に、ライナー（Ｌ）の折り曲げ用スカート（８）がホルダー（Ｈ）の下端部から張り出し垂下する一定長さ（ｙ２）については、これをホルダー（Ｈ）の直径（ｄ）よりも過大な寸法として、図７のように折り曲げられた時、そのホルダー（Ｈ）の開口下面を横断してから、上記ボトムキャップ嵌合用凹溝（４）の高さ位置まで到達して、ボトムキャップ（Ｂ）によりホルダー（Ｈ）の外周面へ安定良く挟み付け固定されることとなる程度（例えば約８０〜９０mm）に設定する。
【００３７】
そうすれば、哺乳器の横倒し姿勢に転がるも、そのライナー（Ｌ）の内部へ収納されたミルク液（Ｍ）が、不慮に洩れ出すおそれもない密封状態に保たれるのである。
【００３８】
但し、上記チューブ状をなすライナー（Ｌ）自身の厚みや可撓度などの如何では、そのスカート（８）の張り出し下端部がただ単なるストレートな寸断状態にあると、これを円筒型ホルダー（Ｈ）の下端部から直角に折り曲げた重合部分の厚みがいたづらに増大すると共に、皺寄り過多となり、そのホルダー（Ｈ）の外周面に対するボトムキャップ（Ｂ）の密着力も低下して、ミルク液（Ｍ）の洩れ出すおそれがある。
【００３９】
その予防対策としては図３〜６に示す如く、上記スカート（８）の下方からホルダー（Ｈ）の下端部（折り曲げ支点部）までは到達しない一定深さ（ｇ）と、入隅側へ片寄った適当な開口幅（ｗ）のスリット（１２）を切り欠くことにより、そのスカート（８）における折り曲げ重合部分の厚みを減小させることが好ましい。
【００４０】
更に言えば、このような下方からのスリット（１２）を介して、上記折り曲げ用スカート（８）を入隅側の短かいスカート片（８ａ）と、同じく出隅側の長いスカート片（８ｂ）に分割形成することが、最も好ましく有効となる。上記予防対策効果に加え、そのスカート（８）の折り曲げた先端部が均一に揃って、化粧効果も昂め得るからである。
【００４１】
先に一言した乳首保護用トップフード（Ｆ）は図２、３のように、上記ホルダー（Ｈ）と同種の透明又は半透明な硬質合成樹脂から断面ほぼ倒立Ｕ字型に成形されており、その内周面の下端部付近からは上記ホルダー（Ｈ）側のトップフード嵌合用凹溝（３）と対応合致する凸条（１３）が張り出されている。
【００４２】
そのため、そのトップフード（Ｆ）側の凸条（１３）をホルダー（Ｈ）側のトップフード嵌合用凹溝（３）へ嵌脱自在に差し込み套嵌させることにより、そのホルダー（Ｈ）側に予じめ位置決め係止されている上記ライナー（Ｌ）の乳首（１）を、上方から安全に被覆することができ、衛生状態に保てるのである。
【００４３】
この場合にも雌雄関係を逆として、トップフード（Ｆ）の内周面に嵌合用凹溝（３）を、上記ホルダー（Ｈ）側の外周面に嵌合用凸条（１３）を各々対応形成することができる。このようなトップフード（Ｆ）の外周面についても、把持時の滑り止め用凹凸（図示省略）を付与しておくことが望ましい。そのトップフード（Ｆ）には上記ボトムキャップ（Ｂ）と同一又は相違する着色カラーを施すことも考えられる。
【００４４】
本発明の使い捨て式哺乳器は上記構成として組み立てられており、その使用に当っては先ず図６のように、ホルダー（Ｈ）を施蓋しているボトムキャップ（Ｂ）を取りはずし、上下反転させた倒立姿勢として把持したり、或いは乳首保護用トップフード（Ｆ）をテーブル（Ｔ）などに安定良く接地させたりして、その上方からライナー（Ｌ）の内部へ予じめ調製済みのミルク液（Ｍ）を投入する。そのライナー（Ｌ）の内部において、粉ミルクと湯からの調乳を行なうこともできる。そのミルク液収納量は一例として、約１００〜２５０ミリリットルである。
【００４５】
そうすれば、当初ホルダー（Ｈ）よりも径小なチューブ状のライナー（Ｌ）は、その柔軟性によりホルダー（Ｈ）の内周面へ馴染み良くフィットした膨張状態に保持されることとなる結果、そのホルダー（Ｈ）から張り出しているライナー（Ｌ）の折り曲げ用スカート（８）を、引き続き図７のような直角に折り曲げて、ホルダー（Ｈ）の外周面へそのボトムキャップ嵌合用凹溝（４）を被覆する状態にフィットさせる。
【００４６】
そして、最後にボトムキャップ（Ｂ）を図８に示す如く、上記ホルダー（Ｈ）のボトムキャップ嵌合用凹溝（４）へ上方から差し込み套嵌させて、そのボトムキャップ（Ｂ）とホルダー（Ｈ）との内外相互間へ、上記ライナー（Ｌ）の折り曲げ用スカート（８）を挟み付け固定する。
【００４７】
そうすれば、そのライナー（Ｌ）の内部に収納されたミルク液（Ｍ）は、哺乳器を図９のような正立状態に復元させても、更には哺乳器を横倒し状態に転がしても、決して洩れ出すおそれがない密封状態に保たれるため、上記トップフード（Ｆ）を取りはずすことにより、その露出した乳首（１）から乳児にミルク液（Ｍ）を摂取させることができる。
【００４８】
使用済みの場合には、上記ホルダー（Ｈ）のボトムキャップ（Ｂ）を取りはずした上、その内部からライナー（Ｌ）とこれに付属する乳首（１）を、一括して抜き出し廃棄すれば良い。茲に、ミルク液（Ｍ）が接触・付着するライナー（Ｌ）と乳首（１）を使い捨てできるため、車両や旅行での携帯上著しく便利である。
【００４９】
その使い捨てにより残るホルダー（Ｈ）とボトムキャップ（Ｂ）並びにトップフード（Ｆ）は、ミルク液（Ｍ）と直かに接触しないため、洗浄又は／及び殺菌を行なう必要なく、そのまま繰り返し使用することができる。万一、トップフード（Ｆ）にミルク液（Ｍ）が付着したとしても、これは硬質な合成樹脂からの成形品であるため、旅行先などの何処でも容易に洗浄することができる。
【００５０】
そして、上記哺乳器を再使用する場合には、新品の乳首（１）が付属するライナー（Ｌ）をそのホルダー（Ｈ）の内部へ差し込み貫通させて、上記乳首（１）の根元部から張り出している位置決め用ビード又はフランジ（９）を、ホルダー（Ｈ）側の乳首受け止め用凹溝（２）へ嵌め込み係止させたセット状態に保った上、図６〜８の順序に従って上記作業を行なえば良い。
【００５１】
図１〜９の上記第１実施形態ではホルダー（Ｈ）側の凹溝（４）へ、その開閉用ボトムキャップ（Ｂ）側の凸条（６）を套嵌させて、ライナー（Ｌ）の折り曲げ重合部分を咬み込み封止するようになっているが、このような構成に代えて、図１０、１１の第２実施形態に示す如く、ホルダー（Ｈ）を施蓋するボトムキャップ（Ｂ）を、そのホルダー（Ｈ）の下端部へ引き寄せ圧着させるように構成しても良い。
【００５２】
つまり、ボトムキャップ（Ｂ）の外周面から一体的に張り出す径大なリング状のフランジ（１４）に、下向き開口する係止凹溝（１５）を形成しておく一方、ホルダー（Ｈ）における外周面の中途高さ位置から一体的に張り出す一対の支持アーム（１６）に、引き寄せフック（１７）を回動自在に枢着して、その各引き寄せフック（１７）の先端部（下端部）から上向きに突出する係止凸起（１８）を、上記ボトムキャップ（Ｂ）側のフランジ（１４）に開口する係止凹溝（１５）へ、言わば挺子作用する如く係脱自在に係止させることにより、ボトムキャップ（Ｂ）をホルダー（Ｈ）の下端部へ引き寄せ圧着させた状態に保つのである。
【００５３】
そうすれば、ライナー（Ｌ）がホルダー（Ｈ）の下端部とボトムキャップ（Ｂ）との相互間に挟み付け固定される結果、やはりミルク液（Ｍ）の不慮に洩れ出すおそれはない。上記ライナー（Ｌ）は柔軟性を有するため、所謂縛り上げ状態に密封されることとなる。
【００５４】
尚、上記係止凸起（１８）と係止凹溝（１５）との雌雄関係が逆となるように、そのリング状のフランジ（１４）をホルダー（Ｈ）側から張り出す一方、引き寄せフック（１７）とその支持アーム（１６）をボトムキャップ（Ｂ）側に設置してもさしつかえない。（１９）は上記引き寄せフック（１７）の回動支点を示している。
【００５５】
更に、図１２、１３は本発明の第３実施形態を示しており、この使い捨て式哺乳器は上記ホルダー（Ｈ）やボトムキャップ（Ｂ）、乳首（１）を連続一体的に具備したライナー（Ｌ）、トップフード（Ｆ）のほかに、乳首押えカラー（Ｃ）も含む合計５部品から組み立てられている。
【００５６】
即ち、第３実施形態の構成部品をなす乳首押えカラー（Ｃ）は、上記ボトムキャップ（Ｂ）と同種の硬質な着色合成樹脂から約上半部の径小なトップフード受け入れ口筒（２０）と、残る下半部の径大なネジ口筒（２１）とを備えた段付きの円筒型に一体成形されていると共に、そのトップフード受け入れ口筒（２０）の外周面からはトップフード嵌合用凸条（２２）が一体的に張り出されてもいる。
【００５７】
又、第３実施形態ではライナー（Ｌ）との連続一体的な乳首（１）の根元部から張り出す位置決め用の径大なビード又はフランジ（９）が、ホルダー（Ｈ）の上端部へ載置状態として位置決め係止され、上記乳首押えカラー（Ｃ）のネジ口筒（２１）をホルダー（Ｈ）の外周面へ着脱自在に螺合締結した時、そのビード又はフランジ（９）が乳首押えカラー（Ｃ）によって、上方から押え付け固定されるようになっている。
【００５８】
そのため、乳首（１）付きのライナー（Ｌ）を上方からホルダー（Ｈ）の内部へ便利良く差し込み貫通させることができ、そのライナー（Ｌ）の使い捨て時にも、これをホルダー（Ｈ）から上方へ無理なく軽快に抜き出せるのであり、その作業性が向上する。
【００５９】
（２３）は乳首押えカラー（Ｃ）におけるトップフード受け入れ口筒（２０）の上記凸条（２２）と対応合致する位置関係として、トップフード（Ｆ）の内周面に設けられた嵌合用凹溝であり、そのトップフード（Ｆ）側の凹溝（２３）を上記乳首押えカラー（Ｃ）側の凸条（２２）へ、嵌脱自在に差し込み套嵌させることによって、ホルダー（Ｈ）側に予じめ押え付け固定されているライナー（Ｌ）の乳首（１）を、上方から安全に被覆することができる。
【００６０】
しかも、断面ほぼ倒立Ｕ字型をなすトップフード（Ｆ）の中央部からは、乳首押し下げ口筒（２４）が一体的に垂下されており、トップフード（Ｆ）を上記乳首押えカラー（Ｃ）側の受け入れ口筒（２０）へ差し込み套嵌させた時、その乳首押し下げ口筒（２４）によって乳首（１）が自づと沈没する如く、弾性変形されるようになっている。
【００６１】
その結果、上記ホルダー（Ｈ）の長さ（ｙ１）を一定と仮定した場合、その乳首（１）が押し下げ沈没されることになる長さ分だけ、哺乳器それ自体を背低く小型コンパクト化することができる。尚、上記トップフード（Ｆ）側の凹溝（２３）と乳首押えカラー（Ｃ）側の凸条（２２）とは、その嵌合する雌雄関係を逆に設定しても勿論良い。
【００６２】
更に、第３実施形態の場合ホルダー（Ｈ）の外周面へ、その開閉用ボトムキャップ（Ｂ）を着脱自在に螺合締結させているが、上記ライナー（Ｌ）は薄肉・軟質であり、自由に弾性変形するため、このような螺合締結手段を採用することも可能であり、そのライナー（Ｌ）の折り曲げ用スカート（８）をホルダー（Ｈ）の外周面とボトムキャップ（Ｂ）との相互間へ、咬み込み封止状態に挟み付け固定することができる。
【００６３】
尚、第２、３実施形態におけるその他の構成や使用法は、上記第１実施形態と実質的に同一であるため、その図１０〜１３に図１〜９との対応符号を記入するにとどめて、その詳細な説明を省略する。
【図面の簡単な説明】
【００６４】
【図１】本発明に係る使い捨て式哺乳器の第１実施形態を示す正面図である。
【図２】図１の分解状態を示す正面図である。
【図３】図２の３−３線断面図である。
【図４】図３の４−４線断面図である。
【図５】ミルク液収納用ライナーを抽出して示す斜面図である。
【図６】ホルダーに対するライナーの差し込みセット状態を示す断面図である。
【図７】図６からライナーのスカートを折り曲げた状態を示す断面図である。
【図８】図７からボトムキャップを套嵌した施蓋状態を示す断面図である。
【図９】使い捨て式哺乳器の使用状態を示す断面図である。
【図１０】本発明に係る使い捨て式哺乳器の第２実施形態を示す正面図である。
【図１１】図１０の１１−１１線断面図である。
【図１２】本発明に係る使い捨て式哺乳器の第３実施形態を示す断面図である。
【図１３】図１２からトップフードを取りはずした使用状態を示す断面図である。
【符号の説明】
【００６５】
（１）・乳首
（２）・乳首受け止め用凹溝
（３）・トップフード嵌合用凹溝
（４）・ボトムキャップ嵌合用凹溝
（５）（１１）・表示目盛り
（６）・嵌合用凸条
（７）・ライナー本体
（８）・スカート
（８ａ）・短かいスカート片
（８ｂ）・長いスカート片
（９）・ビード又はフランジ
（１０）・ミルク液吸い出し孔
（１２）・スリット
（１３）・凸条
（１４）・リング状フランジ
（１５）・係止凹溝
（１６）・支持アーム
（１７）・引き寄せフック
（１８）・係止凸起
（１９）・回動支点
（２０）・トップフード受け入れ口筒
（２１）・ネジ口筒
（２２）・凸条
（２３）・凹溝
（２４）・乳首押し下げ口筒
（Ｂ）・ボトムキャップ
（Ｃ）・乳首押えカラー
（Ｆ）・トップフード
（Ｈ）・ホルダー
（Ｌ）・ミルク液収納用ライナー
（Ｍ）・ミルク液
（ｇ）・スカートの切り欠き深さ
（ｙ１）・ホルダーの長さ
（ｙ２）・スカートの張り出し長さ
（ｗ）・スカートの切り欠き開口幅
【図１】
2006239217.tif 000003
【図２】
2006239217.tif 000004
【図３】
2006239217.tif 000005
【図４】
2006239217.tif 000006
【図５】
2006239217.tif 000007
【図６】
2006239217.tif 000008
【図７】
2006239217.tif 000009
【図８】
2006239217.tif 000010
【図９】
2006239217.tif 000011
【図１０】
2006239217.tif 000012
【図１１】
2006239217.tif 000013
【図１２】
2006239217.tif 000014
【図１３】
2006239217.tif 000015